【手続補正書】
【提出日】平成26年6月16日(2014.6.16)
【手続補正１】
【補正対象書類名】明細書
【補正対象項目名】００１１
【補正方法】変更
【補正の内容】
【００１１】
本発明は、認証に関する処理を実行する認証アプリケーションをインストール可能に構成された画像処理装置であって、当該画像処理装置で表示するメッセージを記憶するメッセージ記憶手段と、前記メッセージ記憶手段に記憶されたメッセージを前記認証アプリケーションにより表示される画面に表示するメッセージ表示手段と、メッセージを再表示するか否かを示す情報を記憶する記憶手段と、前記メッセージ表示手段により表示したメッセージを認証処理の実行後にも表示するか否かを、前記記憶手段に記憶されたメッセージを再表示するか否かを示す情報に基づき判断する再表示判断手段と、前記再表示判断手段により認証処理の実行後にも表示すると判断された場合、当該メッセージを認証処理の実行後に表示するメッセージ再表示手段と、を備えることを特徴とする。
【手続補正２】
【補正対象書類名】明細書
【補正対象項目名】００１２
【補正方法】変更
【補正の内容】
【００１２】
また、本発明は、認証に関する処理を実行する認証アプリケーションをインストール可能に構成され、当該画像処理装置で表示するメッセージと、メッセージを再表示するか否かを示す情報とを記憶する画像処理装置における情報処理方法であって、前記画像形成装置のメッセージ表示手段が、前記記憶されたメッセージを前記認証アプリケーションにより表示される画面に表示するメッセージ表示工程と、前記画像形成装置の再表示判断手段が、前記メッセージ表示工程により表示したメッセージを認証処理の実行後にも表示するか否かを、前記記憶されたメッセージを再表示するか否かを示す情報に基づき判断する再表示判断工程と、前記画像形成装置のメッセージ再表示手段が、前記再表示判断工程により認証処理の実行後にも表示すると判断された場合、当該メッセージを認証処理の実行後に表示するメッセージ再表示工程と、を備えることを特徴とする。
【手続補正３】
【補正対象書類名】明細書
【補正対象項目名】００１３
【補正方法】変更
【補正の内容】
【００１３】
また、本発明は、認証に関する処理を実行する認証アプリケーションをインストール可能に構成され、当該画像処理装置で表示するメッセージと、メッセージを再表示するか否かを示す情報とを記憶する画像処理装置において実行可能なプログラムであって、前記画像処理装置を、前記記憶されたメッセージを前記認証アプリケーションにより表示される画面に表示するメッセージ表示手段と、前記メッセージ表示手段により表示したメッセージを認証処理の実行後にも表示するか否かを、前記記憶手段に記憶されたメッセージを再表示するか否かを示す情報に基づき判断する再表示判断手段と、前記再表示判断手段により認証処理の実行後にも表示すると判断された場合、当該メッセージを認証処理の実行後に表示するメッセージ再表示手段として機能させることを特徴とする。
【手続補正４】
【補正対象書類名】特許請求の範囲
【補正対象項目名】全文
【補正方法】変更
【補正の内容】
【特許請求の範囲】
【請求項１】
認証に関する処理を実行する認証アプリケーションをインストール可能に構成された画像処理装置であって、
当該画像処理装置で表示するメッセージを記憶するメッセージ記憶手段と、
前記メッセージ記憶手段に記憶されたメッセージを前記認証アプリケーションにより表示される画面に表示するメッセージ表示手段と、
メッセージを再表示するか否かを示す情報を記憶する記憶手段と、
前記メッセージ表示手段により表示したメッセージを認証処理の実行後にも表示するか否かを、前記記憶手段に記憶されたメッセージを再表示するか否かを示す情報に基づき判断する再表示判断手段と、
前記再表示判断手段により認証処理の実行後にも表示すると判断された場合、当該メッセージを認証処理の実行後に表示するメッセージ再表示手段と、
を備えることを特徴とする画像処理装置。
【請求項２】
前記記憶手段は、再表示するか否かの情報をメッセージ毎に記憶していることを特徴とし、
前記再表示判断手段は、前記メッセージ毎に記憶された再表示するか否かを示す情報に従い、認証処理の実行後にも当該メッセージを表示するか否かを判断することを特徴とする請求項１に記載の画像処理装置。
【請求項３】
前記再表示判断手段は、メッセージ毎に設定されたアラート開始時刻及びアラート終了時刻と、現在時刻とから認証処理の実行後にも当該メッセージを表示するか否かを判断することを特徴とする請求項１または２に記載の画像処理装置。
【請求項４】
前記再表示判断手段は、現在時刻が前記アラート開始時刻と前記アラート終了時刻の間である場合に、当該メッセージを認証処理の実行後にも表示すると判断することを特徴とする請求項３に記載の画像処理装置。
【請求項５】
画像形成装置周辺の人物の存在を検知する人検知手段と、
前記人検知手段により人物の存在を検知した時刻を取得する人検知時刻取得手段と、
前記認証処理が開始された時刻を取得する認証時刻取得手段と、
をさらに備え、
前記再表示判断手段は、前記人検知時刻取得手段で取得した人物の存在を検知した時刻と、前記認証時刻取得手段で取得した認証処理が開始された時刻との時間差に基づき、認証処理の実行後にも当該メッセージを表示するか否かを判断することを特徴とする請求項１乃至４のいずれか１項に記載の画像処理装置。
【請求項６】
前記再表示判断手段は、前記人検知時刻取得手段で取得した人物の存在を検知した時刻と、前記認証時刻取得手段で取得した認証処理が開始された時刻との時間差が予め設定された時間差よりも大きい場合に、メッセージを認証処理の実行後にも表示すると判断することを特徴とする請求項５に記載の画像処理装置。
【請求項７】
認証に関する処理を実行する認証アプリケーションをインストール可能に構成され、当該画像処理装置で表示するメッセージと、メッセージを再表示するか否かを示す情報とを記憶する画像処理装置における情報処理方法であって、
前記画像形成装置のメッセージ表示手段が、前記記憶されたメッセージを前記認証アプリケーションにより表示される画面に表示するメッセージ表示工程と、
前記画像形成装置の再表示判断手段が、前記メッセージ表示工程により表示したメッセージを認証処理の実行後にも表示するか否かを、前記記憶されたメッセージを再表示するか否かを示す情報に基づき判断する再表示判断工程と、
前記画像形成装置のメッセージ再表示手段が、前記再表示判断工程により認証処理の実行後にも表示すると判断された場合、当該メッセージを認証処理の実行後に表示するメッセージ再表示工程と、
を備えることを特徴とする情報処理方法。
【請求項８】
認証に関する処理を実行する認証アプリケーションをインストール可能に構成され、当該画像処理装置で表示するメッセージと、メッセージを再表示するか否かを示す情報とを記憶する画像処理装置において実行可能なプログラムであって、
前記画像処理装置を、
前記記憶されたメッセージを前記認証アプリケーションにより表示される画面に表示するメッセージ表示手段と、
前記メッセージ表示手段により表示したメッセージを認証処理の実行後にも表示するか否かを、前記記憶手段に記憶されたメッセージを再表示するか否かを示す情報に基づき判断する再表示判断手段と、
前記再表示判断手段により認証処理の実行後にも表示すると判断された場合、当該メッセージを認証処理の実行後に表示するメッセージ再表示手段として機能させることを特徴とするプログラム。